(57)【要約】【課題】順次投影する複数の画像に対して追記される追加部分の取り扱いを簡易化する。【解決手段】投影するための画像情報を取得する投影画像入力部16と、取得した画像情報から投影画像情報を生成し、生成した投影画像情報を出力し、投影画像情報に基づいて投影された投影画像を含んだ撮影画像の情報を撮影画像入力部18から取得し、投影画像情報と撮影画像の情報とから、投影面における色補正情報を生成し、色補正情報と、その時点で取得している画像情報とを対応付けてメインメモリ12に記憶させ、画像情報から投影画像情報を生成する際に、色補正情報に基づいて色補正処理を実行するＣＰＵ11とを備え、ＣＰＵ11は、メインメモリ12に記憶されている画像情報と、現在取得している画像情報とに基づいて色補正処理を実行するか否かを決定する。【選択図】      図２
2019062376.tif 000002
【特許請求の範囲】
【請求項１】
投影するための画像情報を取得する投影画像取得手段と、
上記投影画像取得手段で取得した上記画像情報から投影画像情報を生成する投影画像生成手段と、
上記投影画像生成手段で生成した上記投影画像情報を出力する投影画像出力手段と、
上記投影画像情報に基づいて投影された投影画像を含んだ撮影画像の情報を取得する撮影画像取得手段と、
上記投影画像情報と上記撮影画像取得手段で取得した上記撮影画像の情報とから、投影面における色補正情報を生成する補正情報生成手段と、
上記補正情報生成手段で生成した上記色補正情報と、その時点で上記投影画像取得手段が取得している上記画像情報とを対応付けて記憶する記憶手段と、
上記投影画像生成手段が、上記画像情報から上記投影画像情報を生成する際に、上記補正情報生成手段で生成した上記色補正情報に基づいて色補正処理を実行する色補正手段と、を備え、
上記色補正手段は、上記記憶手段に記憶されている上記画像情報と、現在取得している画像情報とに基づいて色補正処理を実行するか否かを決定する、画像補正装置。
【請求項２】
上記色補正手段は、上記記憶手段に記憶されている上記画像情報と、現在取得している画像情報とが異なる場合に色補正処理を実行することを決定する、請求項１記載の画像補正装置。
【請求項３】
上記投影画像出力手段で出力する画像信号中に選択の指示を示す操作子の画像信号を合成する画像合成手段と、
上記撮影画像取得手段で取得する撮影画像の情報により、上記操作子の画像に対する操作の有無を判断する判断手段と、
を含む上記色補正手段による色補正処理の実行の有無を選択する選択手段をさらに備える、請求項１又は２に記載の画像補正装置。
【請求項４】
上記補正情報生成手段は、上記投影面に追加された追加部分を判定し、該追加部分に基づく追加色補正情報を生成し、
上記色補正手段は、上記追加色補正情報に基づき、上記追加部分の画像要素を強調するような色補正処理を実行する、
請求項１乃至３いずれか記載の画像補正装置。
【請求項５】
上記投影画像出力手段が画像信号を出力する第１の外部機器での投影画像のフレームタイミングと、上記撮影画像取得手段が撮影画像の情報を取得する第２の外部機器での画像撮影のフレームタイミングを同期させる同期制御手段をさらに備える、請求項１乃至４いずれか記載の画像補正装置。
【請求項６】
投影するための画像情報を取得する投影画像取得工程と、
上記投影画像取得工程で取得した上記画像情報から投影画像情報を生成する投影画像生成工程と、
上記投影画像生成工程で生成した上記投影画像情報を出力する投影画像出力工程と、
上記投影画像情報に基づいて投影された投影画像を含んだ撮影画像の情報を取得する撮影画像取得工程と、
上記投影画像情報と上記撮影画像取得工程で取得した上記撮影画像の情報とから、投影面における色補正情報を生成する補正情報生成工程と、
上記補正情報生成工程で生成した上記色補正情報と、その時点で上記投影画像取得工程が取得している上記画像情報とを対応付けて記憶する記憶工程と、
上記投影画像生成工程で、上記画像情報から上記投影画像情報を生成する際に、上記補正情報生成工程で生成した上記色補正情報に基づいて色補正処理を実行する色補正工程と、を有し、
上記色補正工程は、上記記憶工程で記憶されている上記画像情報と、現在取得している画像情報とに基づいて色補正処理を実行するか否かを決定する、画像補正方法。
【請求項７】
コンピュータが実行するプログラムであって、上記コンピュータを、
投影するための画像情報を取得する投影画像取得手段、
上記投影画像取得手段で取得した上記画像情報から投影画像情報を生成する投影画像生成手段、
上記投影画像生成手段で生成した上記投影画像情報を出力する投影画像出力手段、
上記投影画像情報に基づいて投影された投影画像を含んだ撮影画像の情報を取得する撮影画像取得手段、
上記投影画像情報と上記撮影画像取得手段で取得した上記撮影画像の情報とから、投影面における色補正情報を生成する補正情報生成手段、
上記補正情報生成手段で生成した上記色補正情報と、その時点で上記投影画像取得手段が取得している上記画像情報とを対応付けて記憶する記憶手段、
上記投影画像生成手段が、上記画像情報から上記投影画像情報を生成する際に、上記補正情報生成手段で生成した上記色補正情報に基づいて色補正処理を実行する色補正手段と、として機能させ、
上記色補正手段に、上記記憶手段に記憶されている上記画像情報と、現在取得している画像情報とに基づいて色補正処理を実行するか否かを決定させる、プログラム。
【発明の詳細な説明】
【技術分野】
【０００１】
本発明は、例えばプロジェクタ装置を用いたプレゼンテーション等に好適な画像補正装置、画像補正方法及びプログラムに関する。
【背景技術】
【０００２】
プロジェクタの投影画面と、投影面に手書きで追記された画像とを合成し、再生時に、合成画像の追記順に再生できるようにした技術が提案されている。（例えば、特許文献１）
【先行技術文献】
【特許文献】
【０００３】
【特許文献１】特開２０１２−１９９６７６号公報
【発明の概要】
【発明が解決しようとする課題】
【０００４】
例えば複数のスライド画像からなるプレゼンテーション用の資料をホワイトボードに順次投影しながらプレゼンテーションを実施するような場合、あるスライド画像に対応してホワイトボード上にマーカーペン等で追記される手書きの画像は、スライド画像を切り替えた後の状態では、その時点で投影されているスライド画像とは対応しておらず、不必要であるのみならず、その時点で提供しているプレゼンテーションの内容を阻害する要因となり得る。そのため、スライド画像を切り替える毎に、追記された手書きの画像等をその都度消去する必要があり、プレゼンテーション時の作業が煩雑なものとなる、という不具合がある。この点について、上記引用文献に記載されている技術を含めて、これまでは考慮されていなかった。
【０００５】
本発明は上記のような実情に鑑みてなされたもので、その目的とするところは、順次投影する複数の画像に対して追記される追加部分の取り扱いを簡易化することが可能な画像補正装置、画像補正方法及びプログラムを提供することにある。
【課題を解決するための手段】
【０００６】
本発明の一態様は、投影するための画像情報を取得する投影画像取得手段と、上記投影画像取得手段で取得した上記画像情報から投影画像情報を生成する投影画像生成手段と、上記投影画像生成手段で生成した上記投影画像情報を出力する投影画像出力手段と、上記投影画像情報に基づいて投影された投影画像を含んだ撮影画像の情報を取得する撮影画像取得手段と、上記投影画像情報と上記撮影画像取得手段で取得した上記撮影画像の情報とから、投影面における色補正情報を生成する補正情報生成手段と、上記補正情報生成手段で生成した上記色補正情報と、その時点で上記投影画像取得手段が取得している上記画像情報とを対応付けて記憶する記憶手段と、上記投影画像生成手段が、上記画像情報から上記投影画像情報を生成する際に、上記補正情報生成手段で生成した上記色補正情報に基づいて色補正処理を実行する色補正手段と、を備え、上記色補正手段は、上記記憶手段に記憶されている上記画像情報と、現在取得している画像情報とに基づいて色補正処理を実行するか否かを決定する。
【発明の効果】
【０００７】
本発明によれば、順次投影する複数の画像に対して追記される追加部分の取り扱いを簡易化することが可能となる。
【図面の簡単な説明】
【０００８】
【図１】本発明の一実施形態に係る画像投影システム全体の構成を示す図。
【図２】同実施形態に係る図１の画像補正装置の機能回路の構成を示すブロック図。
【図３】同実施形態に係る色補正処理の内容を示すフローチャート。
【図４】同実施形態に係る画像投影面の状態を例示する図。
【図５】同実施形態に係る画像投影面の状態を例示する図。
【図６】同実施形態に係る画像投影面の状態を例示する図。
【図７】同実施形態に係る画像投影面の状態を例示する図。
【図８】同実施形態に係る画像投影面の状態を例示する図。
【図９】同実施形態に係る画像投影面の状態を例示する図。
【図１０】同実施形態に係る画像投影面の状態を例示する図。
【図１１】同実施形態に係る画像投影面の状態を例示する図。
【発明を実施するための形態】
【０００９】
以下、本発明を画像投影システムに適用した場合の一実施形態について、図面を参照して説明する。
【００１０】
図１は、本実施形態に係る画像投影システム全体の構成を示す図である。同図中、プレゼンテーション用のアプリケーションプログラムをインストールしたパーソナルコンピュータ（ＰＣ）１から、プレゼンテーション用の投影画像データが画像補正装置２へ出力される。画像補正装置２は、投影を行なうプロジェクタ３、及びこのプロジェクタ３による投影画像を含む投影面を撮影するデジタルカメラ４と接続される。
【００１１】
画像補正装置２は、プロジェクタ３に対して投影用の画像信号を出力する一方で、このプロジェクタ３から投影画像のフレーム周期に同期したフレームタイミング信号を入力する。
【００１２】
また画像補正装置２は、デジタルカメラ４から投影面を含む、撮影した画像信号を入力する一方で、プロジェクタ３から入力したフレームタイミング信号をデジタルカメラ４に対して出力する。
【００１３】
これにより、デジタルカメラ４で撮影する画像のフレーム周期、及びタイミングを、プロジェクタ３による投影画像と同期させることで、投影面上に投影される画像を確実に撮影させる。
【００１４】
プロジェクタ３は、スクリーンとして使用される、例えばホワイトボードＷＢにプレゼンテーション用の画像を投影する。デジタルカメラ４は、プロジェクタ３での投影範囲ＰＡを含む、より広い撮影範囲ＩＡとなるように設置位置及び撮影画角が設定されたもので、画像補正装置２から与えられるフレームタイミング信号に同期した撮影動作を実行し、撮影画像のデータを画像補正装置２へ送出し続ける。
【００１５】
プレゼンテーションを実行するユーザＵＳは、適宜ＰＣ１を操作しながらホワイトボードＷＢ前で、必要により投影画像に対する、マーカーペン等を用いた書き込み（追加部分）を行なう。
【００１６】
次に図２により上記画像補正装置２の機能回路の構成について説明する。画像補正装置２において、バスＢに接続されたＣＰＵ１１、メインメモリ１２（記憶手段）、及びＳＳＤ（Ｓｏｌｉｄ  Ｓｔａｔｅ  Ｄｒｉｖｅ）１３が、この画像補正装置２の制御部を構成する。
【００１７】
ＣＰＵ１１は、ＳＳＤ１３に記憶される、画像色補正プログラム１３Ａを含んだ動作プログラムや固定データ等を適宜読み出し、メインメモリ１２上に展開して記憶させた上で当該プログラムを順次実行することにより、この画像補正装置２の動作制御を行なう。
【００１８】
上記バスＢにはまた、投影画像出力部１４、フレーム信号入力部１５、投影画像入力部１６、操作部１７、撮影画像入力部１８、及びフレーム信号出力部１９が接続される。
【００１９】
ＣＰＵ１１は、投影画像入力部１６（投影画像取得手段）で上記パーソナルコンピュータ１から投影のための画像（画像情報）を取得し、取得された画像データに対して上記画像色補正プログラム１３Ａに基づいて適宜色補正処理等を実行した上で、実行後の画像データを投影画像出力部１４によりプロジェクタ３へ供給させる。
【００２０】
一方でＣＰＵ１１は、プロジェクタ３からのフレームタイミング信号をフレーム信号入力部１５を介して受信し、受信したフレームタイミング信号をフレーム信号出力部１９によりデジタルカメラ４へ送信させる。
【００２１】
操作部１７は、この画像補正装置２の電源のオン／オフを操作する電源キーや、後述する画像の色補正処理の実行の有無を操作するキー等を備え、その操作信号がバスＢを介してＣＰＵ１１へ送出される。
【００２２】
また、デジタルカメラ４からの投影面を含む撮影画像データが随時撮影画像入力部１８を介して入力される。
【００２３】
ＣＰＵ１１は、投影画像生成手段１１Ａ、補正情報生成手段１１Ｂ、色補正手段１１Ｃとしても機能する。投影画像生成手段１１ＡとしてのＣＰＵ１１は、投影画像出力部１４よりプロジェクタ３へ出力している画像データ（投影画像情報）と撮影画像入力部１８で受信したデジタルカメラ４からの画像データのパターンマッチング処理を含む画像処理により、ホワイトボードＷＢの投影面での状態等を検出した上で、必要な色補正処理を行なった画像データを投影画像出力部１４によりプロジェクタ３へ出力させる。
【００２４】
次に上記実施形態の動作について説明する。  
図３は、上記図１で示したシステム環境での投影動作中に、画像補正装置２でＣＰＵ１１が実行する、投影画像に対する色補正処理を示すフローチャートである。
【００２５】
まずＣＰＵ１１は、その時点で設定されている色補正情報に従って、投影画像入力部１６を介してパーソナルコンピュータ１から入力される画像データの色補正処理を実行し、処理後の画像データを投影画像出力部１４を介してプロジェクタ３へ出力することで、投影動作を実行させる（ステップＳ１０１）。
【００２６】
図４（Ａ）〜図４（Ｃ）は、パーソナルコンピュータ１から順次入力されるプレゼンテーション用の３枚のスライド画像を例示する図である。
【００２７】
ＣＰＵ１１は、上記ステップＳ１０１での投影動作時に入力された画像データ（現在取得している画像情報）をメインメモリ１２に記憶しておき、同様にその前のフレームタイミングで入力されて記憶していた画像データ（記憶されている画像情報）と比較することで、ユーザＵＳによるパーソナルコンピュータ１へのスライド画像の変更があったか否かを判断する（ステップＳ１０２）。
【００２８】
ここでスライド画像の変更がなかったと判断した場合（ステップＳ１０２のＮｏ）、ＣＰＵ１１は次にその時点で投影させている画像中に、後述するボタン画像が含まれているか否かを判断する（ステップＳ１０３）。
【００２９】
ボタン画像が含まれていると判断した場合（ステップＳ１０３のＹＥＳ）、さらにＣＰＵ１１は投影されている当該ボタン画像に対して、ユーザＵＳ等によるタッチ操作があったか否かを、撮影画像入力部１８を介してデジタルカメラ４から入力されている撮影画像データ中の当該ボタン位置へ外部から手指や指示棒等が侵入したかどうかにより判断する（ステップＳ１０４）。
【００３０】
ここでボタン画像に対するタッチ操作がなかったと判断した場合（ステップＳ１０４のＮｏ）、及び上記ステップＳ１０３において、その時点で投影させている画像中にボタン画像が含まれていないと判断した場合（ステップＳ１０３のＮｏ）、次にＣＰＵ１１は、投影画像出力部１４を介してプロジェクタ３で投影させている画像（投影画像情報）と、撮影画像入力部１８を介してデジタルカメラ４から得られる、投影面を含む画像（撮影画像情報）とを比較する（ステップＳ１０５）。
【００３１】
ＣＰＵ１１は、この比較結果に基づいて、投影面においてそれまでになかった書き込み等（追加部分）が追加されたか否かを判断する（ステップＳ１０６）。
【００３２】
ここで特に追加された書き込み等がないと判断した場合（ステップＳ１０６のＮｏ）、ＣＰＵ１１は再び上記ステップＳ１０１からの処理に戻って、投影動作を続行する。
【００３３】
こうしてステップＳ１０１〜Ｓ１０６の処理を繰返し実行することにより、ＣＰＵ１１は投影動作を実行しながら、スライド画像の変更と、ボタン画像の表示がある場合の当該ボタンの操作、及び投影面への新たな書き込みがなされるのを待機する。
【００３４】
図５は、上記図４（Ａ）で示した第１のスライド画像をホワイトボードＷＢ上に投影している状態で、ホワイトボードＷＢの投影面中に、ユーザＵＳにより「手書き１」なる書き込みがなされた場合を例示している。
【００３５】
このような書き込みがなされた場合、上記ステップＳ１０６において、それまでなかった書き込みがなされたものと判断し（ステップＳ１０６のＹｅｓ）、ＣＰＵ１１はその書き込みされた部分の形状と色の情報とを抽出する処理を実行する（ステップＳ１０７）。
【００３６】
ＣＰＵ１１（色補正情報生成手段１１Ｂ）は、この抽出処理で得た書き込み部分の色情報に基づき、当該書き込みが消えて見えるような追加色補正情報を算出した上で、書き込み部分の画像の形状とそれを消すための追加色補正情報を、その時点のスライド画像データと、その識別情報（例えば、投影動作開始時から数えたスライド画像のシリアル番号）と関連付けてメインメモリ１２に記憶させた上で（ステップＳ１０８）、再び上記ステップＳ１０１からの投影動作を続行する。
【００３７】
書き込み部分の画像を消すための追加色補正情報を、元のスライド画像全体に対して重畳合成する画像補正処理を行なった場合、その画像の明るさが多少なりとも減少することになるので、書き込みを行なう上では、黄色、シアン、黄緑等の薄い色で、且つ蛍光色であることが望ましい。
【００３８】
一方で、黒に近い濃い色で書き込みを行なった場合には、その書き込みを消すための追加色補正情報を用いた画像補正処理を行なった場合、モードの画像に対して全体が大きく明るさを失った画像となり得る。
【００３９】
上記のように投影面に書き込みを行なった状態でスライド画像の変更がなされた場合、上記ステップＳ１０２において、変更がなされたことを判断すると、ＣＰＵ１１はその時点でメインメモリ１２に追加色補正情報が設定されて記憶されているか否かにより、少なくとも１枚のスライド画像に対する書き込み等があったか否かを判断する（ステップＳ１０９）。
【００４０】
ここでメインメモリ１２に追加色補正情報が設定されて記憶されていると判断した場合（ステップＳ１０９のＹｅｓ）、記憶されている色補正情報のすべてを用い、新たにフレーム信号入力部１５を介してパーソナルコンピュータ１から送られてくる画像データに対する統合した色補正処理を設定する（ステップＳ１１０）。
【００４１】
また上記ステップＳ１０９において、メインメモリ１２に追加色補正情報が設定、記憶されていないと判断した場合（ステップＳ１０９のＮｏ）、ＣＰＵ１１は上記ステップＳ１１０での処理を省略する。
【００４２】
その後にＣＰＵ１１は、新たなスライド画像に関連付けて書き込み部分の記憶があるか否かにより、そのスライド画像が少なくとも２回目の投影であり、前回までの投影時に画像に対応する投影面への書き込みがあったか否かを判断する（ステップＳ１１１）。
【００４３】
ここでそのスライド画像に関連付けられた書き込み部分の記憶があり、そのスライド画像に対応する書き込みがあったと判断した場合にのみ（ステップＳ１１１のＹｅｓ）、投影する画像中の一部、例えば右上端部に書き込み部分の投影状態に「戻す」ボタンを表示するよう追加設定する（ステップＳ１１２）。
【００４４】
このボタンの表示位置は、書き込み部分との対応によるもので、書き込み部分と重複する場合には、第２の候補、例えば右下端部とするようにしても良い。
【００４５】
これらボタンの表示位置に関しては、プレゼンテーションの際にユーザＵＳが画面のどちら側に位置するのかと関連するものであるので、投影の事前、あるいは投影動作中に変更設定できるものとしても良い。
【００４６】
上記ステップＳ１１１での判断結果に応じて適宜上記ステップＳ１１２での処理を実行した後、上記ステップＳ１０１からの処理に戻って、変更されたスライド画像の投影動作に移行する。
【００４７】
図６は、上記図４（Ａ）で示したスライド画像に、上記図５に示したような書き込みがなされた場合に、その後にスライド画像の変更が操作された場合の投影例を示す図である。
【００４８】
元の２枚目及び３枚目のスライド画像が上記図４（Ｂ）、図４（Ｃ）で示すものであり、１枚目のスライド画像に対して書き込まれた部分が、関係しない２枚目以降の投影に影響しないように上述した如く色補正処理を実行することで、図６（Ａ）、図６（Ｂ）に示すように、投影画像全体で若干明るさが低下した画像として投影されることとなる。
【００４９】
図７は、さらにこの状態から再び１枚目のスライド画像への変更が操作された場合の投影画像を例示する図である。ここでは上記２枚目、３枚目のスライド画像と同様に色補正処理が実行されることで、書き込み部分が見えないように、画像全面が若干明るさを低下した画像となっている。加えて、このスライド画像に対応する書き込みがなされており、その時点ではその書き込みが消えるような色補正が実行されていること、及び対応する書き込みがなされた状態に戻すことができることを、「戻す」ボタンＢＴ１１を併せて投影することで表現している。
【００５０】
ユーザＵＳ等がこの「戻す」ボタンＢＴ１１に対するタッチ操作を手指や指示棒等で行なった場合、上記ステップＳ１０４において、ボタン画像に対するタッチ操作があったと判断し（ステップＳ１０４のＹｅｓ）、ＣＰＵ１１はその時点で投影していたボタンが、後述する「消す」ボタンＢＴ１２であったか否かを判断する（ステップＳ１１３）。
【００５１】
ここで投影されていたのは「消す」ボタンＢＴ１２ではなく「戻す」ボタンＢＴ１１であるため（ステップＳ１１３のＮｏ）、ＣＰＵ１１はその時点のスライド画像に対応する書き込み部分が見えるような色補正処理、すなわち全体の色補正処理から、当該書き込み部分に対する追加色補正情報に基づく色補正処理分だけを除外した色補正処理を設定する（ステップＳ１１６）。
【００５２】
さらにＣＰＵ１１は、投影する画像中の一部、例えば右上端部に書き込み部分の投影状態を「消す」ボタンを表示するよう追加設定し（ステップＳ１１７）、その後に上記ステップＳ１０１からの処理に戻って、ボタン操作に対応したスライド画像の投影動作に移行する。
【００５３】
図８は、上記「戻す」ボタンＢＴ１１のタッチ操作に応じた投影画像を例示する図である。ここでは追加色補正情報に基づく色補正処理が実行されていないために元の画像と同様の明るさとなっている。加えて、このスライド画像に対応して書き込まれた部分が見えるようになっており、再び書き込みを消した状態に戻せることを、「消す」ボタンＢＴ１２を併せて投影することで表現している。
【００５４】
なお、書き込み部分の２度目以降の投影に際しては、ユーザＵＳの意図した操作に基づく投影であることを鑑みて、元の書き込み部分の色をより強調するような追加色補正情報に基づく色補正処理、具体的には、元の書き込み部分の画像の色成分を含んで、より強調するような色、例えば元の書き込み部分が黄色のマーカーペンで書き込まれたものであれば赤とするような色補正を合わせて実行するものとしてもよい。
【００５５】
図９は、上記図７で示した投影画像に対し、書き込み部分の色をより強調するように変更した場合を例示している。このような色補正処理により、同一のスライド画像の２回目以降の投影では、１回目の投影時に書き込み等がなされた内容をより見易い状態で提示することができる。
【００５６】
上記図８または図９の投影状態から、さらにユーザＵＳ等が「消す」ボタンＢＴ１２に対するタッチ操作を手指や指示棒等で行なった場合、ＣＰＵ１１は、上記ステップＳ１０４において、ボタン画像に対するタッチ操作があったと判断し（ステップＳ１０４のＹｅｓ）、さらに上記ステップＳ１１３で投影していたボタンが「消す」ボタンＢＴ１２であったと判断する（ステップＳ１１３のＹｅｓ）。
【００５７】
ＣＰＵ１１はその時点のスライド画像に対応する書き込み部分を再び消すような色補正処理、すなわち全体の色補正処理に戻すよう設定する（ステップＳ１１４）。
【００５８】
さらにＣＰＵ１１は、投影する画像中の一部、例えば右上端部に書き込み部分の投影状態を「戻す」ボタンＢＴ１１を表示するよう追加設定し（ステップＳ１１５）、その後に上記ステップＳ１０１からの処理に戻って、ボタン操作に対応したスライド画像の投影動作に移行する。
【００５９】
上記図８または図９の投影状態から「消す」ボタンＢＴ１２に対するタッチ操作が行なわれた場合、上記図７の投影状態に戻る。
【００６０】
また、１枚目のスライド画像への書き込みに対応する色補正処理により、上記図６（Ａ）で示した２枚目のスライド画像を投影している状態で、さらに書き込みがなされた場合を説明する。
【００６１】
図１０は、上記図６（Ｂ）で示した２枚目のスライド画像の投影状態から、さらにホワイトボードＷＢの投影面中に、ユーザＵＳにより「手書き２」なる書き込みがなされた場合を例示している。
【００６２】
すでに書き込みに対する色補正処理を実行している状態では、前回書き込まれた内容を消すような色補正処理によって、前回と同色系のマーカーペンによる書き込みがなされても、ほぼそれらの書き込みは見えない状態となるので、異なる色系統での書き込みが望ましい。
【００６３】
例えば始めの書き込みが黄色のマーカーペンでなされたものであれば、２回目はシアンのマーカーペンを用いるなどの工夫が必要となる。
【００６４】
このように２回目の書き込みに対して上記ステップＳ１０７，Ｓ１０８の処理を実行することで、２枚目のスライド画像に対する追加色補正情報の設定がメインメモリ１２に記憶される。
【００６５】
図１１は、上記図１０に示した投影状態から３枚目のスライド画像の投影へと変更された場合を例示する。２色の書き込みに対応した色補正処理によって、上記図６（Ｂ）に示した投影画像に比してもさらに明るさが低下した状態で画像が投影されることとなる。
【００６６】
以上詳述した如く本実施形態によれば、順次投影する複数の画像に対して追記される追加部分の取り扱いを簡易化することが可能となる。
【００６７】
また上記実施形態では、色補正処理の実行の有無を選択可能としたので、特に２回目以降の画像投影に際して、その画像に対応して書き込まれた内容を、必要に応じて追認することができる。
【００６８】
加えて上記実施形態では、「戻す」ボタンＢＴ１１、「消す」ボタンＢＴ１２のタッチ操作により色補正処理の実行の有無を選択可能としたので、視覚的にも理解し易く、プレゼンテーションなどにおいて気軽に書き込み部分の再生投影と消去とを選択可能となる。
【００６９】
また本実施形態では、プロジェクタ３が画像投影を行なうフレームタイミングと同期するようにデジタルカメラ４での撮影のフレームタイミングを制御するものとしたので、投影画像を含む投影面の状態を確実に撮影して取得することができる。
【００７０】
なお、台形補正処理等により、実際に投影を行なっている範囲より、投影可能な範囲が十分に広いような場合であれば、デジタルカメラ４による撮影範囲をプロジェクタ３の投影可能な範囲を含むように設定することで、投影している範囲を外れた位置の書き込みにも対処して、適宜書き込みを消し、あるいは強調するような色補正処理を実行することができる。
【００７１】
また上記実施形態では、画像補正装置２を、パーソナルコンピュータ１とプロジェクタ３の間に介在させ、デジタルカメラ４からの撮影画像を取得するシステム構成であるものとして説明したが、画像補正装置２を独立した装置としてではなく、例えばパーソナルコンピュータ１にインストールするアプリケーションプログラムにより実現するものとすること、あるいはプロジェクタ３が有する一機能として実現することも可能となる。
【００７２】
その他、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【００７３】
以下に、本願出願の当初の特許請求の範囲に記載された発明を付記する。  
［請求項１］  
投影するための画像情報を取得する投影画像取得手段と、  
上記投影画像取得手段で取得した上記画像情報から投影画像情報を生成する投影画像生成手段と、  
上記投影画像生成手段で生成した上記投影画像情報を出力する投影画像出力手段と、  
上記投影画像情報に基づいて投影された投影画像を含んだ撮影画像の情報を取得する撮影画像取得手段と、  
上記投影画像情報と上記撮影画像取得手段で取得した上記撮影画像の情報とから、投影面における色補正情報を生成する補正情報生成手段と、  
上記補正情報生成手段で生成した上記色補正情報と、その時点で上記投影画像取得手段が取得している上記画像情報とを対応付けて記憶する記憶手段と、  
上記投影画像生成手段が、上記画像情報から上記投影画像情報を生成する際に、上記補正情報生成手段で生成した上記色補正情報に基づいて色補正処理を実行する色補正手段と、を備え、  
上記色補正手段は、上記記憶手段に記憶されている上記画像情報と、現在取得している画像情報とに基づいて色補正処理を実行するか否かを決定する、画像補正装置。  
［請求項２］  
上記色補正手段は、上記記憶手段に記憶されている上記画像情報と、現在取得している画像情報とが異なる場合に色補正処理を実行することを決定する、請求項１記載の画像補正装置。  
［請求項３］  
上記投影画像出力手段で出力する画像信号中に選択の指示を示す操作子の画像信号を合成する画像合成手段と、  
上記撮影画像取得手段で取得する撮影画像の情報により、上記操作子の画像に対する操作の有無を判断する判断手段と、  
を含む上記色補正手段による色補正処理の実行の有無を選択する選択手段をさらに備える、請求項１又は２に記載の画像補正装置。  
［請求項４］  
上記補正情報生成手段は、上記投影面に追加された追加部分を判定し、該追加部分に基づく追加色補正情報を生成し、  
上記色補正手段は、上記追加色補正情報に基づき、上記追加部分の画像要素を強調するような色補正処理を実行する、  
請求項１乃至３いずれか記載の画像補正装置。  
［請求項５］  
上記投影画像出力手段が画像信号を出力する第１の外部機器での投影画像のフレームタイミングと、上記撮影画像取得手段が撮影画像の情報を取得する第２の外部機器での画像撮影のフレームタイミングを同期させる同期制御手段をさらに備える、請求項１乃至４いずれか記載の画像補正装置。  
［請求項６］  
投影するための画像情報を取得する投影画像取得工程と、  
上記投影画像取得工程で取得した上記画像情報から投影画像情報を生成する投影画像生成工程と、  
上記投影画像生成工程で生成した上記投影画像情報を出力する投影画像出力工程と、  
上記投影画像情報に基づいて投影された投影画像を含んだ撮影画像の情報を取得する撮影画像取得工程と、  
上記投影画像情報と上記撮影画像取得工程で取得した上記撮影画像の情報とから、投影面における色補正情報を生成する補正情報生成工程と、  
上記補正情報生成工程で生成した上記色補正情報と、その時点で上記投影画像取得工程が取得している上記画像情報とを対応付けて記憶する記憶工程と、  
上記投影画像生成工程で、上記画像情報から上記投影画像情報を生成する際に、上記補正情報生成工程で生成した上記色補正情報に基づいて色補正処理を実行する色補正工程と、を有し、  
上記色補正工程は、上記記憶工程で記憶されている上記画像情報と、現在取得している画像情報とに基づいて色補正処理を実行するか否かを決定する、画像補正方法。  
［請求項７］  
コンピュータが実行するプログラムであって、上記コンピュータを、  
投影するための画像情報を取得する投影画像取得手段、  
上記投影画像取得手段で取得した上記画像情報から投影画像情報を生成する投影画像生成手段、  
上記投影画像生成手段で生成した上記投影画像情報を出力する投影画像出力手段、  
上記投影画像情報に基づいて投影された投影画像を含んだ撮影画像の情報を取得する撮影画像取得手段、  
上記投影画像情報と上記撮影画像取得手段で取得した上記撮影画像の情報とから、投影面における色補正情報を生成する補正情報生成手段、  
上記補正情報生成手段で生成した上記色補正情報と、その時点で上記投影画像取得手段が取得している上記画像情報とを対応付けて記憶する記憶手段、  
上記投影画像生成手段が、上記画像情報から上記投影画像情報を生成する際に、上記補正情報生成手段で生成した上記色補正情報に基づいて色補正処理を実行する色補正手段と、として機能させ、  
上記色補正手段に、上記記憶手段に記憶されている上記画像情報と、現在取得している画像情報とに基づいて色補正処理を実行するか否かを決定させる、プログラム。
【符号の説明】
【００７４】
１…パーソナルコンピュータ（ＰＣ）
２…画像補正装置
３…プロジェクタ
４…デジタルカメラ
１１…ＣＰＵ
１１Ａ…投影画像生成手段
１１Ｂ…補正情報生成手段
１１Ｃ…色補正手段
１２…メインメモリ
１３…ＳＳＤ
１３Ａ…画像色補正プログラム
１４…投影画像出力部
１５…フレーム信号入力部
１６…投影画像入力部
１７…操作部
１８…撮影画像入力部
１９…フレーム信号出力部
Ｂ…バス
ＢＴ１１…「戻す」ボタン
ＢＴ１２…「消す」ボタン
ＩＡ…撮影範囲
ＰＡ…投影範囲
ＵＳ…ユーザ
ＷＢ…ホワイトボード
【図１】
2019062376.tif 000003
【図２】
2019062376.tif 000004
【図３】
2019062376.tif 000005
【図４】
2019062376.tif 000006
【図５】
2019062376.tif 000007
【図６】
2019062376.tif 000008
【図７】
2019062376.tif 000009
【図８】
2019062376.tif 000010
【図９】
2019062376.tif 000011
【図１０】
2019062376.tif 000012
【図１１】
2019062376.tif 000013